(57)【特許請求の範囲】
【請求項１】
楽器本体部が支持体に組み付けられた構造の電子鍵盤楽器において、
前記支持体は、一対の側板が第１の連結部材により連結固定され、前記側板の中間高さ位置に載置部材を有するとともに、前記載置部材よりも上となる、前記一対の側板の内側面に係合部材と第２の連結部材とを有するものであり、
前記楽器本体部は、当該両側面の後部における外幅が前記一対の側板間の内幅よりも幅狭であり、当該両側面の後部に被係合部材を有し、
前記楽器本体部は、前記載置部材に載置され、当該両側面の後部と前記一対の側板の内側面との間に隙間がある状態で、鍵長手方向の手前側から奥行方向に、当該両側面の後部が前記一対の側板の間に挿入され、前記係合部材と前記被係合部材とが係合されることにより前記支持体に組み付けられ、当該背板が前記第２の連結部材に当接することにより前記奥行き方向に位置合わせされた後、前記第２の連結部材とネジにより前記支持体に連結される、
ことを特徴とする電子鍵盤楽器。
【発明の詳細な説明】
【技術分野】
【０００１】
本発明は、楽器本体部を支持体に効率よく組み付ける構造の電子鍵盤楽器に関するものである。
【背景技術】
【０００２】
従来、鍵盤を有する楽器本体部と、支持体とを別々にユニット化して製作し、この楽器本体部を支持体に載置して組み付けた構成の電子鍵盤楽器が知られている。
例えば、特許文献１に記載の電子鍵盤楽器においては、左右の脚体を横方向に連結することにより支持体が組み立てられる。この左右の脚体の相対向する内側方向に、左右の取付ガイド部材が設けられている。一方、楽器本体部の下面に、各取付ガイド部材に対応して一対の被ガイド部材が設けられている。取付ガイド部材と被ガイド部材の上述した取付構造は、見栄えを良くするためである。
【０００３】
組立時には、２人の作業者が楽器本体部を持ち上げ、支持体の左右の脚体内に挿入し、楽器本体部の下面を取付ガイド部材の上に載置し、被ガイド部材が取付ガイド部材に係合するようにして、楽器本体部を手前から奥行き方向に摺動させ、被ガイド部材がストッパ部材に当接することにより位置合わせされる。ボルトを、取付ガイド部材に設けられた孔を通して楽器本体部の下面に形成されたネジ孔に締結することにより、楽器本体部と支持体とを固着する。
【０００４】
しかし、脚体全部が楽器本体部の下方かつ下面に位置する構造であるため、作業者が楽器本体部の下面を取付ガイド部材の上に載置する際に、手が邪魔になり、作業者から取付ガイド部材や被ガイド部材が全く見えない。そのため、作業者の手が楽器本体部の下面と取付ガイド部材との間に挟まってしまい怪我をする危険がある。
このような危険性を低くするため、また、大体の見当で楽器本体部を載置しても、ネジ止め位置にスムーズに位置合わせさせるために、上述した取付ガイド部材の形状を大きくしていた。その結果、コスト高になった。
【０００５】
一方、特許文献２に記載の電子鍵盤楽器においては、楽器本体部の左右側面に鉤状部材が突設されている。一方、支持体の脚部を兼ねる側板の内側に、上述した鉤状部材に対応した受け部材が設けられている。
組立時には、２人の作業者が、楽器本体部の上部を側板よりも高く持ち上げて、目視で見当を付けて下方に降ろすことにより、鉤状部材を受け部材の受け口に落し込んで位置合わせされる。その後、楽器本体部と支持体とがねじ止めされる。
【０００６】
この電子鍵盤装置においては、支持体の側板を楽器本体部の側面と同じ高さにすることにより、側板が楽器本体部の側面を覆うようにしたため、見栄えが良好であり、作業性もそこそこである。
しかし、作業者は楽器本体部を、1.3〜1.4mほど高く持ち上げるので、重労働を強いられる。また、作業者が疲れてしまうと、高い位置から楽器本体部を落としてしまう事故が発生しかねない。
【特許文献１】特開平５−２９７８６５（特許第２７４５９５２号公報）
【特許文献２】特開２００６−９１７４７号公報
【発明の開示】
【発明が解決しようとする課題】
【０００７】
本発明は、上述した問題点を解決するためになされたもので、楽器本体部が支持体に組み付けられた構造の電子鍵盤楽器において、組み付けが安全かつ簡単で、見栄えもよい電子鍵盤楽器を提供することを目的とするものである。
【課題を解決するための手段】
【０００８】
本発明は、請求項１に記載の発明においては、楽器本体部が支持体に組み付けられた構造の電子鍵盤楽器において、前記支持体は、一対の側板が第１の連結部材により連結固定され、前記側板の中間高さ位置に載置部材を有するとともに、前記載置部材よりも上となる、前記一対の側板の内側面に係合部材と第２の連結部材とを有するものであり、前記楽器本体部は、当該両側面の後部における外幅が前記一対の側板間の内幅よりも幅狭であり、当該両側面の後部に被係合部材を有し、前記楽器本体部は、前記載置部材に載置され、当該両側面の後部と前記一対の側板の内側面との間に隙間がある状態で、鍵長手方向の手前側から奥行方向に、当該両側面の後部が前記一対の側板の間に挿入され、前記係合部材と前記被係合部材とが係合されることにより前記支持体に組み付けられ、当該背板が前記第２の連結部材に当接することにより前記奥行き方向に位置合わせされた後、前記第２の連結部材とネジにより前記支持体に連結されるものである。
従って、楽器本体部は、側板の中間高さ位置まで持ち上げれば、載置部材に載置できる。楽器本体部を載置した状態で、両側面の後部を、手前から奥行き方向に、一対の側板を指標にして、挿入することにより、係合部材と被係合部材との係合により、楽器本体部の支持体への組み付けが完了する。
係合部材と被係合部材とにより、楽器本体部の鍵盤配列方向の位置合わせが確実に行われる。組み付け完了後は、楽器本体部の両側面の後部が支持体側の側板の内側に隠れるので、係合部材やガイド部材も、外側から見えにくくなるため、電子鍵盤楽器の外観を損ねない。
【０００９】
上述した被係合部材を、上述した係合部材が直線移動可能に係合するガイド部材とすることができる。この場合、楽器本体部が、上述した一対の側板の間に挿入される際に、係合部材がガイド部材に係合された状態で移動するから、ガイド部材により案内される。
このガイド部材は、係合部材を係止する係止位置（ストッパ部）を有してもよい。係合部材は、ガイド部材に係合された状態で当該係合部材の係止位置まで移動することになる。その結果、奥行き方向における位置合わせの精度が向上する。
また、係合部材が被係合部材に係合する際に、係合部材が被係合部材に圧入される構造を備えていてもよい。
上述した係合部材と被係合部材との係合は、電子楽器本体部の奥行き方向における位置合わせと仮固定の機能を有する。従って、上述した組み付け後、さらに、ネジ等で電子楽器本体部と支持体部とを固着することが望ましい。しかし、上述した係合部材と被係合部材との係合力が強固である場合は、さらにネジ等で固着する必要はない。
【発明の効果】
【００１０】
本発明によれば、楽器本体部を組み付ける際に、鍵盤の配列方向の位置合わせと仮固定とが簡単であるので、組み立てやすいという効果がある。
係合部材と被係合部材は、手が触れにくい位置にあるので、楽器本体部を安全、簡単に支持体に組み付けることができる。また、係合部材と被係合部材が外から見えないために見栄えがよいという効果がある。係合部材と被係合部材は、形状を大きくする必要がないので、余分な製造コストを抑制されるという効果がある。
【発明を実施するための最良の形態】
【００１１】
図１は、本願発明の実施の一形態を説明するための電子鍵盤楽器の第１の組立図である。細部の構成は図示を省略している。括弧内の記号は、外から見えない部分を示す符号に付している。
この電子鍵盤楽器は、楽器本体部１を始めとする多数の部材をユニット化して製作されたものであり、各ユニットは、図示を省略した多数の結合金物とネジを用いて一体化される。
図中、１は楽器本体部である。２は支持体であって、楽器本体部を支えるベースユニットである。
【００１２】
楽器本体部１において、１１は左右一対の脇側板である。脇側板１１は、鍵盤面及び操作パネルの左右の両脇に位置し、高さに比べて奥行きの長い木製の側板である。１２は左右一対の内側板であって、楽器本体部１の両側面の後部に位置し、奥行きに比べて高さがあるが、組立完了後は、後述する支持体１の側板２１に隠れるから、外から見えなくなる。
１３は口棒部材、１４は前蓋、１５は後蓋、１６は上前板、１７は天板、１８は上背板、１９は底板であって、いずれも木製である。２０は左右一対の係合部材である。
【００１３】
一方、支持体２において、２１は木製の側板であって後脚を兼ねる。２２は木製の前脚、２３は横架部材、２４は貫（ぬき）である。いずれも左右一対である。２５はペダルユニット、２５ａ〜２５ｃは機能の異なるペダル、２６は下前板、２７は下背板、２８は左右一対のガイド部材、２９は左右一対の結合金物である。
一対の側板２１は、側板連結部材（ペダルユニット２５、下前板２６、下背板２７、図２に示すスピーカボックス４１）により、左右の方向（鍵盤面における鍵配列方向）に連結された状態になっている。
また、横架材２３が、側板２１の中間高さ位置において、側板２１と前脚２２の上面との間に架設されている。
【００１４】
横架材２３は、例えば、板金（鋼板）を加工して形成された構造材であって、図示の例では、前脚２２のある前部と、側板２１のある後部とに、それぞれ、第１の取付板２３ａと第２の取付板２３ｂとが形成され、左右のものが互いに内方向に対向する。両者は、横架材２３の架設面よりも僅かに高い位置になるように加工されている。
この第１の取付板２３ａ、第２の取付板２３ｂの上に、楽器本体部１が載置され、固定される。なお、楽器本体部１は、横架材２３の架設面に載置され固定されるようにしてもよいし、側板連結部材の何れかに取り付けてもよい。
側板２１は、床面に近い高さ位置において、貫（ぬき）２４により、前脚２２と結合されている。この貫２４は、例えば、板金（鋼板）を加工して断面がコ字状に形成された構造材である。
【００１５】
側板２１は、楽器本体部１と結合する上半部（横架材２３の上）において、前端面２１ａにおいて、その内側が奥行き方向に切り欠かれて、段差面２１ｂが形成されることにより窪んでいる。この切り欠きは、上方部分（第１の後退前面２１ｃ）と下方部分（第２の後退前面２１ｄ）との間に段差を有し、上方部分に対し下方部分が奥行き方向に後退し、上方部分に第１の後退前面２１ｃ、下方部分に第２の後退前面２１ｄが形成されている。このように、側板２１は、奥行き方向にも鍵の配列方向にも凹凸が入り組んだ形状をしている。
【００１６】
第１の後退前面２１ｃにおける下方位置（側板２１の上半部の高さの約半分の高さ）には、浅い溝２１ｅが奥行き方向の途中まで形成されている。左右の側板２１の上半部における内側面２１ｆの間隔（以下、単に間隔というとき、鍵の配列方向の間隔をいう）は、この図では見えない側板２１の下半部における内側面の間隔よりも幅広である。
上述した溝２１ｅに、図３を参照して後述するガイド部材２８が取り付けられている。
２９は結合金物であり、図示の例では、曲（かね）折り金物（Ｌ字金具）であって、側板の内側面２１ｅに取り付けられ、側板２１と後述する楽器本体部１の上背板１８の外側とをネジにより連結するためのものである。この結合金物２９との干渉を防ぐために、上背板１８には、切り欠き１８ａが形成されている。
【００１７】
一方、楽器本体部１においては、左右の脇側板１１の後方部が切り欠かれ、左右の内側板１２が食い込むように嵌合されている。支持体２側の側板２１の凹凸構造は、この脇側板１１及び内側板１２の凹凸に嵌合する。支持体２に楽器本体部１が組み合わされたときに、凹凸面が嵌合することにより、堅固な結合構造となる。
凹凸なしに平面同士が当接する場合に比べ、電子鍵盤楽器の前方から見た場合、楽器本体部１（脇側板１１及び上前板１６）の両側部と支持体２の側板２１との接合部（段差面２１ｂ）が、鍵の長手方向の後端（後面２１ｇ）まで延長されないため、上述した接合部の隙間が目立たない。その結果、外観上、高級感とスマートさが出せる。
【００１８】
脇側板１１及び内側板１２が、口棒部材１３、上背板１８、底板１９により連結されていることにより、楽器本体部１は箱状になっている。
左右の内側板１２の外側面には、それぞれ、係合部材２０が取り付けられている。係合部材２０は、例えば、図３を参照して後述するものであって、先に説明した支持体２の側板２１に取り付けられたガイド部材２８に係合する。
【００１９】
楽器本体部１は、図４に示すように鍵盤ユニット６６及び電子回路基板６７を収容している。鍵盤面を覆う蓋（キーカバー）は、図示の例では、前蓋１４及び後蓋１５からなり、前蓋１４の手前を持ち上げると前蓋１４が回動して開くとともに、この回動に連動して後蓋１５が上前板１６の下方を鍵奥側に後退することにより、鍵盤面とその前方の操作パネル面が露出する。
なお、上前板１６と天板１７とは、図４を参照して後述するように、一体的に結合されていて上前ユニット６１を構成する。
【００２０】
左右の脇側板１１の内側面は、それぞれ左右の内側板１２の内側面と同一平面上にある。これに対し、左右の脇側板１１の外側面は、それぞれ左右の内側板１２の外側面よりも出っ張っている。
上述した楽器本端部１は、上述した支持体２に載置されて組み付けられる。
そのため、上述した楽器本体部１の横幅と、支持体の側板２１の間隔とは、次の関係がある。
【００２１】
左右の脇側板１１の外側面の間隔ｗ11は、側板２１の上半部における左右の段差面２１ｂの間隔ｗ21bと一致する。
これに対し、左右の内側板１２の外側面の間隔ｗ12は、上述した側板２１の内側面２１ｆの間隔ｗ21fよりも若干幅狭である。従って、内側板１２と内側面２１ｆとの間には、僅かな隙間（ｗ21f−ｗ12）/2が左右にできる。この隙間は、後述する図３（ｃ）に示されるように、上述した係合部材２０とガイド部材２８とが係合するのに要する隙間ｗ1である。
上背板１８の左右の横幅ｗ18は、内側板１２の外側面の間隔ｗ12と等しくするか、又は、側板２１の上半部における内側面２１ｆの間隔ｗ21fに近づけてもよい。ただし、楽器本体部１の左右側面の後部を、一対の側板の内側面２１ｆの間に挿入する。そのため、内側板１２の外側面の間隔ｗ12だけでなく、上背板１８の左右の横幅ｗ18も、単に、内側面２１ｆの間隔ｗ21f以下の幅であるだけでなく、ガイド部材２８と干渉しない横幅にする必要がある。
【００２２】
図２は、本願発明の実施の一形態を説明するための電子鍵盤楽器の第２の組立図である。図中、図１と同じ部分には同じ符号を付している。
図２（ａ）は楽器本体部１の右側面図である。脇側板１１，内側板１２、係合部材２０は右側のものが見えている。
３１は、鍵の配列方向の中央に設けられ、ネジにより支持体２側の下背板２７と連結するための下背板固定ブロックである。３２は入出力端子箱であって、底板１９の下面に取り付けられ、ここに、MIDI（Musical Instrument Digital Interface）入出力端子やオーディオ入出力端子等が設けられる。３３は、左右の脇側板の上面１１ａに取り付けられ、上前板の下面１６ｄと当接する緩衝材である。
【００２３】
図２（ｂ）は支持体２の右側の側板２１と下背板２７を除去した状態で図示する右側面図である。側板２１、結合金物２９、ガイド部材２８は、左側のものが見えている。２６ａ，２６ｂは下前板２６の左右後端面２６cの上部２６c1と下部２６c2に形成された側板取付ブロックであり、かね折り金物（Ｌ金具）を当てて、下前板２６と左右の側板２１とをネジにより締結するためのものである。
４１は左右のスピーカボックスであり、図示を省略したスピーカが内蔵され、スピーカの開口面は下前板２６に面し、下前板２６のスピーカ・ネットを通して楽音を放音する。４２はアウトレット箱であり、右側のスピーカボックス４１の上に取り付けられ、この中に外部スピーカ用の補助出力端子（AUX.OUT）が収容されている。４３は、左右の前脚２２、左右の側板２１の下面に取り付けられた滑り止め部材である。
【００２４】
組立作業者は、図２（ａ）に示す楽器本体部１の底板１９を、載置部材、図示の例では、横架材の取付板２３ａ，２３ｂに載置し、上背板１８と内側板１２の後部とを、図２（ｂ）に示す支持体２の左右の側板２１の内側に挿入し、鍵長手方向の手前側から奥行方向に移動させる。楽器本体部１が、奥行き方向のほぼ正しい固定位置に近づくと、係合部材２０がガイド部材２８に係合し、係合された状態で移動する。すなわち、ガイド部材２８は、楽器本体部１の直線摺動移動の案内をする。
その後、楽器本体部１を正しい固定位置に合わせる。なお、ガイド部材２８が係止部を備える場合は、正規の固着位置のごく近傍で、奥行き方向の移動が係止される。
左右の横架材の第１の取付板２３ａ、第２の取付板２３ｂの下方から、締結用孔２３ｃ，２３ｄを介して４本のネジで締結することにより、楽器本体部１が支持体２に強固に固着される（図１参照）。
【００２５】
図２（ｃ）は電子鍵盤楽器の組立が完了したときの右側面図である。図中、図１と同じ部分には同じ符号を付している。
楽器本体部１を支持体２に組み付けた時、楽器本体部１の各部と支持体２の各部とは次のような接合関係となる。
楽器本体部１の上前板の前面１６ａは、支持体２の側板の前端面２１ａと一致する。上前板の側面１６ｂ、後面１６ｃの左右両端は、それぞれ、側板の段差面２１ｂ、第１の後退前面２１ｃに当接する。
楽器本体部１の脇側板の後面１１ｂは支持体２の側板の第２の後退前面２１ｄに近接又は当接する。楽器本体部１の上背板１８の後面１８ｂは、支持体２の側板の後面２１ｇとほぼ一致する。楽器本体部１の天板の下面１７ａの左右両端部は、支持体２の側板の上面２１ｈに当接する。
【００２６】
図示の例では、楽器本体部１を支持体２に組み付けるために、左右一対の係合部材２０と、この一対の係合部材２０が直線移動可能に係合する一対のガイド部材２８を有している。係合部材２０は、楽器本体部１の両側面の後部、図示の例では、内側板１１の外側面に取り付けられている。一方、ガイド部材２８は、支持体２における側板２１の内側面２１ｆに取り付けられている。
【００２７】
図３は、図１，図２に示した組立てに使用される係合部材２０及びガイド部材２８の一例を示す説明図である。図３（ａ）は係合部材の平面図、図３（ｂ）は係合部材の左側面図、図３（ｄ）はガイド部材の右側面図、図３（ｅ）はガイド部材の平面図である。
図３（ｃ）は係合部材２０がガイド部材２８に係止された状態を示す側面図であって、図１においては、天板１７を除去した状態の平面図に相当する。図中、図１と同じ部分には同じ符号を付している。
【００２８】
図３（ａ）、図３（ｂ）において、図示の係合部材２０は、頭部２０ａ、首部２０ｂ、台座部２０ｃ、ネジ部２０ｄからなり、直径の異なる円形の横断面を有するピン状の金具である。頭部２０ａの直径をｄa、首部２０ｂの直径をｄb、台座部２０ｃの直径をｄcとすると、ｄb＜ｄa≦ｄcの関係にある。
この係合部材２０は、薄い当て板５１を間に挟んで内側板１２の外面に固着される。当て板５１は、また、ステープル５２によって内側板１２に固着されている。当て板５１は必須の部材ではない。しかし、当て板５１の厚みにより、係合部材２０が内側板１２の外面から突出する突出量を調整できる。
【００２９】
ガイド部材２８に対し、上述した係合部材２０は、ガイド部材２８と係合状態を保ちながら直線的に摺動（スライド）する。そのため、係合部材２０をスライダー、ガイド部材２８をスライドガイドということもできる。
図３（ｄ）、図３（ｅ）において、図示のガイド部材２８は、鍵の長手方向（図示垂直方向）に長い長尺板体をプレス加工で折り曲げたものである。両端は取付部２８ａ，２８ｅであり、側板２１の内側面２１ｆに形成された溝２１ｅにネジ５３により取り付けられている。
【００３０】
この取付部２８ａ，２８ｅに隣接する段差部２８ｂ，２８ｄから、中央平板部２８ｃがせり上がり、突出している。電子鍵盤楽器の手前側に位置する段差部２８ｂから中央平板部２８ｃの奥行き側にかけて、鍵の長手方向に長孔形状の係合孔２８ｆが形成されている。
この係合孔２８ｆは、取付部２８ａからの段差部２８ｂへの立ち上がり位置では幅ｄeで広幅であり、中央平板部２８ｃに近づくほど徐々に幅狭となり、中央平板部２８ｃではほぼ一定幅ｄfである。
【００３１】
ただし、奥行き側の段差部２８ｄに近づくほど、係合孔２８ｆの外周面２８ｇが孔に向かって徐々にくびれ、中央平板部２８ｃの高さよりも低くなって行く。係合孔２８ｆは、段差部２８ｄの手前において、半円形状の外周として終わる。
係合孔の幅ｄe、幅ｄfと係合部材の頭部２０ａ及び首部２０ｂの直径とは、ｄb＜ｄf＜ｄａ＜ｄeの関係にある。すなわち、係合孔２８ｆの中央平板部２８ｃでの幅ｄfは、係合部材２０の頭部２０ａの直径ｄａよもり狭いが、係合孔２８ｆの段差部２８ｂでの幅ｄeは、係合部材２０の頭部２０ａよりも広い。
【００３２】
楽器本体部１を支持体２に組み付ける際に、楽器本体部１を手前側から奥行き方向に移動させると、係合部材２０は、手前側にある段差部２８ｂの方向からガイド部材２８に近接し、段差部２８ｂの位置に達すると、係合部材２０の頭部２０ａと首部２０ｂとが係合孔２８ｆの幅広部に挿入される。引き続き、係合孔の端部近傍に至るまで挿入され、図３（ｃ）に示す状態となる。
【００３３】
先に述べたように、係合孔２８ｆの外周面２８ｇが孔の内方に、後方に行くほどくびれている。係合部材の頭部２０ａの下面（首部２０ｂ側）と係合孔の外周面２８ｇとが干渉するように、支持体２における側板の内側面２１ｆと、楽器本体部１における内側板１２の外面との間隔ｗ1（図３（ｃ）参照）を設計しておく。
上述した干渉により、係合部材の頭部２０ａの下面が係合孔の外周面２８ｇを押圧しながら圧入される。その結果、楽器本体部１の内側板１２を支持体２の側板２１に引き付ける付勢力が生じる。この付勢力は、左右の側板２１において生じるために、楽器本体部１と支持体２との、結合関係が強くなり、鍵の長手方向の前後にも大きな摩擦力により移動しにくくなる。
【００３４】
鍵の長手方向において、係合部材２０が係合孔の端部において移動が係止されるため、奥行き方向に位置合わせがされる。楽器本体部１と支持体２とは、位置合わせされた後に、ネジを用いた締結により固着される。
なお、ガイド部材２８に鍵の長手方向の移動係止機能は必須ではない。従って、係合孔２８ｆは、奥行き方向の段差部２８ｄまで延びていてもよい。また、奥行き方向の位置合わせは、結合金物２９等によっても可能である。
【００３５】
なお、図１を参照して説明したように、組み付け時に、上背板１８の左右端部がガイド部材２８と干渉しないようにするため、上背板１８の横幅ｗ18は側板の内側面２１ｆの間隔ｗ21fよりも狭くしてある。そのため、電子鍵盤楽器の組立完了後においても、電子鍵盤楽器の背面側から、図３（ｃ）に示した間隔ｗ1の隙間が見えてしまうが、背面側から見えるのであるからその影響は少ない。
しかし、溝２１ｅの深さｗ2を、図３（ｃ）に示した深さよりもさらに深くし、ガイド部材の中央平板部２８ｃが内側面２１ｆから突出しないようにすれば、上背板１８の横幅が側板の内側面２１ｆの間隔に等しくなるようにすることができるから、背面からも隙間が見えなくなる。これに伴い、係合部材２０は、ガイド部材２８に係合するように、突出長さを変更したり、左右の内側板１２を左右の側板の内側面２１ｆに近づければよい。
【００３６】
図４は、図１，図２に示した楽器本体部１における前上ユニット６１の取り外し可能な状態を説明する右側面図である。図中、図１、図２と同様な部分には同じ符号を付している。
前上ユニット６１は、上前板１６と天板１７とが、図示しない結合金物で直角に結合されたものである。この前上ユニット６１は、電子鍵盤楽器を組み立てた後も、簡単に取付け/取外しができるようにして、楽器本体部１のメンテナンスを容易にしている。
【００３７】
楽器本体部１における、左右の内側板１２の上端に、前上ユニット６１を取り付けるため、係合部材６４及びガイド部材６３を用いる。これらは、図３に示した係合部材２０及びガイド部材２８と同様な部材である。
天板の下面１７ａの左右両端部に一対の係合部材６４が取り付けられている。一方、左右一対の内側板２１の内面側の上端近傍に、固定ブロック６２が取り付けられ、この固定ブロック６２の上面にガイド部材６３が取り付けられている。図示の例では、このガイド部材６３の中央平板部（図３における中央平板部２８ｃに相当する）は、内側板１２の上面とほぼ等しい高さにある。
前上ユニット６１を手前から奥行き方向に移動させることにより、係合部材６４をガイド部材６３に係合させ、係止されることにより位置合わせされる。
【００３８】
一方、上前板１６の後面１６ｃの下部には、鍵の配列方向の数カ所において、本明細書では中央ステー６５と呼ぶ、スペーサ金具の一端がネジ止めされている。
図示の中央ステー６５は、幅広のＬ字金具の長尺端部に取付面を形成し、上前板１６側の取付面にねじ通し孔を形成し、上背板１８側の取付面にねじ切り孔を形成したものである。
【００３９】
上前板１６の取付状態においては、係合部材６４が、ガイド部材６３と係合し位置合わせされ、中央ステー６５の他端が、ネジ５３により上背板１８に締結されている。
楽器本体部１には、鍵盤フレーム、鍵、鍵動作（アクション）機構等を含む鍵盤ユニット６６が収容されている。また、その後方には、電子回路基板６７が収容されている。この電子回路基板６７を保守点検する際に、前上ユニット６１を取り外す。
最初に、中央ステー６５と上背板１８とを締結しているネジ５３を外し、前上ユニット６１を手前側に引き出せば、係合部材６４がガイド部材６３の係合孔（図３の２８ｆに相当）から外れる。
【００４０】
逆に、前上ユニット６１を取り付けるには、天板の下面１７ａを側板の上面２１ｈと内側板１２の上面に載せ、奥行き方向に移動させるると、係合部材６４の首部（図３に示す係合部材の首部２０ｂに相当）が、ガイド部材６３の係合孔（図３に示すガイド部材２８における係合孔２８ｆに相当）に挿入される。
係合孔の外周面のくびれにより互いに引き付けられることから、天板１７と内側板１２の上面とが強固に結合される。上前板１６の左右の端面１６ｂは、支持体２の左右の側板における前端面２１ａの内側に挿入され、段差面２１ｂと接し、上前板の後面１６ｃが、内側板１２の前面と側板の第１の後退前面２１ｃとに当接する。従って、図示の例では、ガイド部材６３に係止部がなくても、前上ユニット６１の奥行き方向は位置規制される。最後に、中央ステー６５と上背板１８とをネジ５３で締結する。
【００４１】
上述した説明では、ピン形状の突起物を係合部材２０，６４とし、係合孔を有する折り曲げ板材をガイド部材２８，６３であるとしたが、係合部材とガイド部材とは相対的なものである。従って、ピン形状の突起物をガイド部材と呼び、係合孔を有する折り曲げ板材を係合部材と呼んでもよい。
上述した説明では、係合部材を移動側に取り付け、ガイド部材を固定側に取り付けたが、逆に、ガイド部材を移動側に取り付け、係合部材を固定側に取り付けてもよい。
【００４２】
また、係合部材とガイド部材は、図示の形状のものに限らない。
上述したガイド部材２８，６３は、係合部材２０，６４の移動を案内する機能を備えていた。このようなガイド部材２８，６３に代えて、案内機能を備えない単なる被係合部材、例えば、ガイド部材２８において係合孔２８ｆの長さが短いもの、を用いても、楽器本体部１を支持体２に組み付ける際の仮止め、位置合わせが可能である。
【図面の簡単な説明】
【００４３】
【図１】本願発明の実施の一形態を説明するための電子鍵盤楽器の第１の組立図である。
【図２】本願発明の実施の一形態を説明するための電子鍵盤楽器の第２の組立図である。
【図３】図１，図２に示した組立てに使用される係合部材及びガイド部材の一例を示す説明図である。
【図４】図１，図２に示した楽器本体部における前上ユニットの取り外し状態を説明する右側面図である。
【符号の説明】
【００４４】
１…楽器本端部、２…支持体、
１１…脇側板１１ａ…上面、１１ｂ…後面、１２…側板、１３…口棒部材、１４…前蓋、１５…後蓋、１６…上前板、１６ａ…前面、１６ｂ…側面、１６ｃ…後面、１６ｄ…下面、１７…天板、１７ａ…下面、１８…上背板、１８ａ…切り欠き部、１８ｂ…後面、１９…底板、２０…係合部材、２０ａ…頭部、２０ｂ…首部、２０ｃ…台座部、２０ｄ…ネジ部、
２１…側板、２１ａ…前端面、２１ｂ…段差面、２１ｃ…第１の後退前面、２１ｄ…第２の後退前面、２１ｅ…溝、２１ｆ…内側面、２１ｇ…後面、２１ｈ…上面、２２…前脚、２３…横架材、２３ａ，２３ｂ…取付板、２３ｃ，２３ｄ…締結用孔、２４…貫（ぬき）、２５…ペダルユニット、２６…下前板、２６ａ，２６ｂ…側板取付ブロック、２６ｃ…左右後端面、２６ｃ1…左右後端面上部、２６ｃ2…左右後端面下部、２７…下背板、２８…ガイド部材、２８ａ…取付部、２８ｂ…段差部、２８ｃ…中央平板部、２８ｄ…段差部、２８ｅ…取付部、２８ｆ…係合孔、２８ｇ…外周面、２９…結合金物、
３１…下背板固定ブロック、３２…入出力端子箱、３３…緩衝材、４１…スピーカボックス、４２…アウトレット箱、４３…滑り止め部材、５１…当て板、５２…ステープル、５３…ネジ、
６１…前上ユニット、６２…固定ブロック、６３…ガイド部材、６４…係合部材、６５…中央ステー、６６…鍵盤ユニット、６７…電子回路基板
【図１】
0005239403.tif 000002
【図２】
0005239403.tif 000003
【図３】
0005239403.tif 000004
【図４】
0005239403.tif 000005